(57)【特許請求の範囲】
【請求項１】
伸縮性長繊維から形成された線材に、直径が０．０８ｍｍより細い中心導体とフッ素樹脂からなる厚さ０．０８ｍｍより薄い内部絶縁体と外径０．０５ｍｍより細い錫メッキ軟銅線からなる外部導体とポリエステルまたはフッ素樹脂からなる外被とで構成される外径が０．３７ｍｍより細い同軸電線が巻き付けられ、前記線材と前記同軸電線が所定間隔ごとに接着剤により固定されてなる同軸巻き付け線が構成糸として織られた又は編まれた面状に伸縮可能な生地。
【請求項２】
前記構成糸のうち経糸が前記同軸巻き付け線である請求項１に記載の生地。
【請求項３】
前記構成糸が円筒状に編まれた請求項1または２に記載の生地。
【請求項４】
請求項１に記載の生地を用いた装着具。
【請求項５】
前記生地の縦方向の一端部で前記同軸巻き付け線の端部が前記生地の他の部分から独立しており、折り返された前記他の部分が前記生地に縫い合わされている請求項４に記載の装着具。
【請求項６】
前記独立した同軸巻き付け線の端部において、前記線材から取り外された前記同軸電線の端部に機器接続用のコネクタが取り付けられている請求項５に記載の装着具。
【発明の詳細な説明】
【技術分野】
【０００１】
本発明は、身体に対して操作をする装置や、身体に着用して使用される装置に供される衣服に用いられる生地及び該生地を用いた装着具に関する。
【背景技術】
【０００２】
イヤホン／ヘッドホンとウェアラブル（Wearable）型の音楽再生装置本体との間は、電気信号を伝送する電気信号線を用いて有線接続とする場合が多い。しかし、身体に着用して使用されるウェアラブル機器において、電気信号線による有線接続とした場合、身体が動くときなどに電気信号線が邪魔となる。
電気信号線が邪魔とならないようにするための技術として例えば以下の技術がある。
【０００３】
特許文献１には、ウェアラブル・コンピュータにおける各デバイス間の配線として用いる超極細導体で衣服を縫製する技術が開示されている。
特許文献２には、装着者の頭部を覆うことにより該装着者の脳活動を表す情報を非侵襲的に取得するための被り物のテキスタイル（生地）に、上記情報を検出するセンサ部からの信号を伝送する配線を織り込んだテキスタイルを用いる技術が開示されている。
【０００４】
特許文献３には、衣服に配された機器間を伸縮伝送線で接続し、余長部分を無くすことで伝送線の引っ掛かりや巻き込みの危険を排除し、また、動き易さなどの快適性を確保する技術が開示されている。
特許文献４には、オーディオ再生装置に接続するオーディオコネクタが配されたデバイスドックと、ヘッドホンに接続するヘッドホンジャックが配されたジャックドックとを衣類上に設け、デバイスドックとヘッドホンジャックとを、衣類に一体化した伸縮性織物からなるデータバスで接続する技術が開示されている。
【先行技術文献】
【特許文献】
【０００５】
【特許文献１】特開２０００−１４８２９０号公報
【特許文献２】特開２０１１−１２５６７４号公報
【特許文献３】特開２０１２−１８８７９９号公報
【特許文献４】特表２０１３−５２００７８号公報
【発明の概要】
【発明が解決しようとする課題】
【０００６】
しかし、特許文献１に開示の衣服では、配線及び縫製用の超極細導体に伸縮性がないため、当該衣服の着用者が激しく動いたときなどに断線する虞がある。特許文献２に開示の技術は、伸縮性があまり必要とされない被り物のための技術であり、伸縮性が必要とされる分野には好適に用いることができない。
また、特許文献３及び４に開示の技術は、信号伝送線が当該伝送線の延在方向に伸縮可能であれば好適であるが、同軸電線のように、信号伝送線の延在方向の伸縮率が小さい分野の場合、適用することができない。
【０００７】
本発明は、上述のごとき実情に鑑みてなされたもので、身体に対して操作をする装置や、身体に着用して使用される装置に供される衣服に用いられ、装置の配線に用いる同軸電線が邪魔になるのを防ぐことができる生地及び該生地を用いた装着具を提供することをその目的とする。
【課題を解決するための手段】
【０００８】
本発明の生地は、伸縮性のある線材に同軸電線が巻き付けられてなる同軸巻き付け線が構成糸として織られた又は編まれた面状に伸縮可能なものである。
【発明の効果】
【０００９】
本発明の生地を用いることで、機器を同軸電線で有線接続したときに当該同軸電線が機器の操作者や被操作者の邪魔になるのを防ぐことができる。
【図面の簡単な説明】
【００１０】
【図１Ａ】本発明の生地の一例を説明するための図である。
【図１Ｂ】本発明の生地の一例を説明するための図である。
【図１Ｃ】本発明の生地の一例を説明するための図である。
【図２Ａ】図１の生地を用いた円筒状の装着具の作製方法を説明するための図である。
【図２Ｂ】図１の生地を用いた円筒状の装着具の作製方法を説明するための図である。
【図２Ｃ】図１の生地を用いた円筒状の装着具の作製方法を説明するための図である。
【図２Ｄ】図１の生地を用いた円筒状の装着具の作製方法を説明するための図である。
【図３】本発明の生地の他の例を説明するための図である。
【発明を実施するための形態】
【００１１】
［本発明の実施形態の説明］
まず、本発明の実施形態を列記して説明する。
（１）本発明の生地は、伸縮性長繊維から形成された線材に、直径が０．０８ｍｍより細い中心導体とフッ素樹脂からなる厚さ０．０８ｍｍより薄い内部絶縁体と外径０．０５ｍｍより細い錫メッキ軟銅線からなる外部導体とポリエステルまたはフッ素樹脂からなる外被とで構成される外径が０．３７ｍｍより細い同軸電線が巻き付けられ、線材と同軸電線が所定間隔ごとに接着剤により固定されてなる同軸巻き付け線が構成糸として織られた又は編まれた面状に伸縮可能な生地である。この生地を用いて例えば衣服を作製したりすることで、当該生地の同軸電線を介して機器を有線接続したときに当該同軸電線が機器の操作者や被操作者の邪魔になるのを防ぐことができる。
【００１２】
（２）本発明の生地は、構成糸のうち経糸を同軸巻き付け線とすることができる。
（３）本発明の生地は、構成糸が円筒状に編まれた生地であるとよい。例えば、この生地を用いた衣服は着脱が容易であり、生地の同軸電線を介して短時間で機器を有線接続することができる。
【００１３】
（４）本発明の装着具は、上記の生地を用いたものである。この装着具は、着脱が容易であり、当該装着具の生地の同軸電線を介して短時間で機器を有線接続することができる。
（５）本発明の装着具は、生地の縦方向の一端部で同軸巻き付け線の端部が生地の他の部分から独立しており、折り返された前記他の部分が生地に縫い合わされているとよい。
（６）本発明の装着具は、上記独立した同軸巻き付け線の端部において、前記線材から取り外された前記同軸電線の端部に機器接続用のコネクタが取り付けられていることが好ましい。
【００１４】
（本願発明の実施形態の詳細）
以下、図面を参照しながら、本発明の生地及び装着具に係る好適な実施の形態について説明する。なお、本発明はこれらの例示に限定されるものではなく、特許請求の範囲によって示され、特許請求の範囲と均等の意味および範囲内ですべての変更が含まれることを意図する。また、以下の説明において、異なる図面においても同じ符号を付した構成は同様のものであるとして、その説明を省略する場合がある。
【００１５】
図１Ａ〜図１Ｃは、本発明の生地の一例を説明するための図であり、図１Ａは生地の斜視図、図１Ｂは図１Ａの生地の構成糸の正面図、図１Ｃは図１Ａの生地の一部の簡易拡大図である。
【００１６】
図１Ａの生地１０は、経糸と緯糸の両方が伸縮性を有し縦方向にも横方向にも伸縮可能なすなわち面状に伸縮可能な織物生地である。生地１０の構成糸である経糸のうちの中央付近の経糸１１は、図１Ｂに示すように、伸縮性のある線材１１ａに同軸電線１１ｂが巻き付けられてなる同軸巻き付け線となっている。この経糸１１では、例えば、所定間隔ごとに線材１１ａと同軸電線１１ｂとが接着剤により固定されており、線材１１ａが当該線材１１ａの延在方向すなわち経糸１１の延在方向に伸縮するのに追従して同軸電線１１ｂが同延在方向に伸縮するようになっている。以下、経糸１１を同軸巻き付け線１１という。
【００１７】
同軸巻き付け線１１の線材１１ａは、伸縮性長繊維から形成することができる。伸縮性長繊維は、例えば１００％以上の伸縮性を有するものであり、ポリウレタン系伸縮性長繊維、ポリエステル系伸縮性長繊維、天然ゴム系伸縮性長繊維、合成ゴム系伸縮性長繊維である。
線材１１ａの直径は例えば１〜３ｍｍである。
【００１８】
同軸電線１１ｂは、中心軸に直交する径方向の断面において、中心から外側に向かって、中心導体、内部絶縁体、外部導体及び外被を有している。具体的には、同軸電線１１ｂには、例えば、直径が０．０８ｍｍより細い錫メッキ軟銅線または銀メッキ軟銅線からなる中心導体と、ＰＦＡ（テトラフルオロエチレン・パーフルオロアルキルビニルエーテル共重合体）やＥＴＦＥなどのフッ素系樹脂からなる厚さ０．０８ｍｍより薄い内部絶縁体と、外径０．０５ｍｍより細い錫メッキ軟銅線からなる外部導体と、ポリエステルテープやフッ素樹脂からなる外被と、で構成される外径０．３７ｍｍより細い同軸電線が用いられる。
【００１９】
同軸巻き付け線１１を経糸とした織物生地である生地１０は、経糸と緯糸が交互に浮き沈みして交錯する平織であってもよいし、図１Ｃに示すように、同軸巻き付け線１１を含む経糸１１´を生地の表面に長く浮かせ、経糸１１´と緯糸１２の交錯点１３をできるだけ離した朱子織であってもよい。ただし、長期使用により上記交錯点１３において巻き付け線１１の同軸電線１１ｂが断線する虞があるため、交錯点の少ない朱子織や綾織の方が好ましい。なお、同軸巻き付け線１１以外の経糸１１´及び緯糸１２は、同軸巻き付け線１１の線材１１ａと同様に伸縮性長繊維から形成することができる。
【００２０】
このような生地１０を用いて衣服を縫製し、該衣服を機器の操作者または被操作者が着用したときに、生地１０を構成する巻き付け線１１の同軸電線１１ｂを用いて機器を有線接続すると、同軸電線１１ｂが操作者または被操作者の衣服に一体となっているので邪魔にならない。また、同軸電線１１ｂが同軸巻き付け線１１の延在方向に伸縮可能であるため、衣服の着用者の動き易さなどの快適性を確保することができる。
【００２１】
なお、布状に切り出した生地１０の片面または両面に粘着性の物質を塗布し、衣服に張り付けるようにしたときにも上述と同様の効果が得られる。
また、生地１０を用いて円筒状に形成し、腕などに着脱自在な装着具としてもよい。
【００２２】
図２Ａ〜図２Ｄは、図１の生地１０を用いた円筒状の装着具の作製方法を説明するための図である。
図１の生地１０を用いた円筒状の装着具の作製をするためには、まず、生地１０を布状に切り出した上で、図２Ａに示すように、布状の生地１０の縦方向の一端部１０ａにおいて、同軸巻き付け線１１の周囲に切り込みを入れ、同軸巻き付け線１１の端部を生地１０の他の部分から独立させた状態にする。
【００２３】
次に、図２Ｂに示すように、独立させた状態の同軸巻き付け線１１の端部の同軸電線１１ｂを線材１１ａから取り外した後、該同軸電線１１ｂが取り外された線材１１ａの端部を切り取り、線材１１ａから取り外された同軸電線１１ｂの端部に、機器接続用のコネクタ１４を取り付ける。
【００２４】
その後、生地１０の縦方向の一端部１０ａの同軸巻き付け線１１以外の部分を、図２Ｃに示すように、折り返してミシン糸１５により縫う。
生地１０の縦方向の他端部についても一端部１０ａと同様に処理したのちに、軸方向が縦方向となる円筒状に生地１０を変形させてから縫うことにより、図２Ｄのように、ユーザの腕Ａに巻き付く形態で用いられる円筒状の装着具２０とすることができる。なお、生地１０を朱子織としたときは、装着具２０の美観を優先したい場合は、同軸巻き付け線１１を含む経糸１１´（図１Ｃ参照）が長く浮いた表面を装着具２０の内側になるようにするとよく、また、装着具２０の着け心地を優先したい場合は、経糸１１´の同表面を装着具２０の外側にするとよい。
【００２５】
装着具２０は、生地１０が面状に伸縮可能であるため、着脱が容易であり、当該装着具２０の装着から、生地１０の同軸電線１１ｂを介した有線接続までを短時間で行うことができる。
【００２６】
以上の例では、生地の経糸のうち１本のみを同軸電線を巻き付けた同軸巻き付け糸としたが、複数本を同軸巻き付け糸としてもよい。
また、以上の例では、経糸にのみ同軸巻き付け糸を使用していたが、経糸及び緯糸の両方に巻き付け糸を使用してもよいし、緯糸にのみ巻き付け糸を使用してもよい。
さらに、上述の同軸巻き付け糸では、１本の同軸電線を巻き付ける構成であったが、複数本の同軸電線をまとめて巻き付けるようにしてもよい。
【００２７】
以上の例では、生地を織物生地としたが、上述の同軸巻き付け糸を構成糸とする編み生地であってもよい。この編み生地は、デンビー編みや鎖編みなどのたて編みによるものであってもよく、平編みやゴム編みなどのよこ編みによるもであってもよいし、編組によるものであってもよい。
生地を編んで作る場合は、最初から筒状の生地を作ることができる。
【００２８】
図３は、本発明の生地の他の例を説明するための図である。
図３の生地３０は、編み生地であって、構成糸のうち１本を図１Ｂの同軸巻き付け糸１１と同様の同軸巻き付け糸３１としてゴム編みにより編まれたものである。同軸巻き付け糸３１以外の構成糸３２は、図１の同軸巻き付け線１１の線材１１ａと同様な伸縮性長繊維から形成される。なお、同軸巻き付け糸３１は本例のように１本のみであってもよいし、複数本であってもよい。
この生地３０は、編むことでの伸縮性と構成糸の伸縮性あるので、図１の生地１０に比べてさらに、伸縮性が高くなっており、断線しにくくなっている。
【００２９】
なお、編み物生地とする場合、平板状に編む他に、編組や輪編みにより円筒状に編んでもよい。円筒状に予め編んだ生地では、その後に大きな加工をすることなく、簡単に腕や脚などに装着可能となる。
【００３０】
生地を衣服や装着具に用いる際、同軸電線を覆うように伸縮性のあるカバーを設けてもよい。これにより、同軸電線を保護することができ、また、表側にカバーを設ける場合は、美観を向上させることができ、裏側に設ける場合は、着心地を向上させることができる。
【符号の説明】
【００３１】
１０…生地、１１…経糸、１１ｂ…同軸電線、１１ａ…線材、１１ｂ…線、１２…緯糸、１３…交錯点、１４…コネクタ、１５…ミシン糸、２０…装着具。
【図１Ａ】
0006015705.tif 000002
【図１Ｂ】
0006015705.tif 000003
【図１Ｃ】
0006015705.tif 000004
【図２Ａ】
0006015705.tif 000005
【図２Ｂ】
0006015705.tif 000006
【図２Ｃ】
0006015705.tif 000007
【図２Ｄ】
0006015705.tif 000008
【図３】
0006015705.tif 000009